(57)【要約】【課題】骨盤締付状態を安定して保持することができる骨盤矯正用ベルト付パンツを提供する。【解決手段】前布部４と後布部を有するパンツ本体６と、胴回り方向に配設されるとともに上記後布部の左右方向中央領域に縫着した上下に複数の骨盤矯正用ベルト３を、備える。前布部４が、腹部Ｓの略全体に対応する範囲の外面７全体にわたって、第１面状ファスナー１を有するとともに、骨盤矯正用ベルト３の夫々が、左右一対の突片部８を有し、突片部８が、第１面状ファスナー１と着脱自在な第２面状ファスナーを内面側に有し、第１面状ファスナー１と第２面状ファスナーを貼着させることにより骨盤締付力Ｆを調整可能に構成する。【選択図】図１
2007236809.tif 000002
【特許請求の範囲】
【請求項１】
前布部（４）と後布部（５）を有するパンツ本体（６）と、胴回り方向に配設されるとともに上記後布部（５）の左右方向中央領域（Ｙ）に縫着（Ｇ）した上下に複数の骨盤矯正用ベルト（３）を、備え、
上記前布部（４）が、腹部（Ｓ）の略全体に対応する範囲の外面（７）全体にわたって、第１面状ファスナー（１）を有するとともに、上記骨盤矯正用ベルト（３）の夫々が、左右一対の突片部（８）を有し、該突片部（８）が、上記第１面状ファスナー（１）と着脱自在な第２面状ファスナー（２）を内面（９）側に有し、上記第１面状ファスナー（１）と上記第２面状ファスナー（２）を貼着させることにより骨盤締付力（Ｆ）を調整可能に構成し、
さらに、上記複数の骨盤矯正用ベルト（３）の非着用巻付状態での側端縁（14）の上下長さ寸法（Ｌ）を、股上寸法（Ａ）の70％以上 110％以下に設定し、骨盤（Ｋ）の上下略全長範囲（Ｅ）にわたって骨盤締付力（Ｆ）を付与可能に構成したことを特徴とする骨盤矯正用ベルト付パンツ。
【請求項２】
前布部（４）と後布部（５）を有するパンツ本体（６）と、左半分と右半分に分離した左突片部（８ａ）・右突片部（８ｂ）の各基端（80ａ）（80ｂ）を上記後布部（５）の左右方向中央領域（Ｙ）に縫着（Ｇ）した上下に複数の骨盤矯正用ベルト（３）を、備え、  上記前布部（４）が、腹部（Ｓ）の略全体に対応する範囲の外面（７）全体にわたって、第１面状ファスナー（１）を有するとともに、上記左突片部（８ａ）・右突片部（８ｂ）の夫々が、上記第１面状ファスナー（１）と着脱自在な第２面状ファスナー（２）を内面（９）側に有し、上記第１面状ファスナー（１）と上記第２面状ファスナー（２）を貼着させることにより骨盤締付力（Ｆ）を調整可能に構成し、
さらに、上記複数の骨盤矯正用ベルト（３）の非着用巻付状態での側端縁（14）の上下長さ寸法（Ｌ）を、股上寸法（Ａ）の70％以上 110％以下に設定し、骨盤（Ｋ）の上下略全長範囲（Ｅ）にわたって骨盤締付力（Ｆ）を付与可能に構成したことを特徴とする骨盤矯正用ベルト付パンツ。
【請求項３】
骨盤矯正用ベルト（３）を上下に２枚備えた請求項１又は２記載の骨盤矯正用ベルト付パンツ。
【請求項４】
前布部（４）に開閉自在な前ファスナー（15）を設けた請求項１，２又は３記載の骨盤矯正用ベルト付パンツ。
【請求項５】
骨盤矯正用ベルト（３）、前布部（４）、及び、後布部（５）が、伸縮自在な素材から成る請求項１，２，３又は４記載の骨盤矯正用ベルト付パンツ。
【発明の詳細な説明】
【技術分野】
【０００１】
本発明は、骨盤矯正用ベルト付パンツに関する。
【背景技術】
【０００２】
従来、生活習慣等が原因で骨盤に生じたゆがみ・ズレを矯正するために骨盤矯正用ベルト付パンツが用いられている（例えば、特許文献１参照）。
【０００３】
しかし、骨盤に対する締付け部分が局所的であって、骨盤締付状態が不安定であるという欠点があった。また、骨盤矯正用ベルトが１本であって、骨盤締付力がはたらく方向の微調整をすることができなかった。
【特許文献１】実開平５−８１２０４号公報
【発明の開示】
【発明が解決しようとする課題】
【０００４】
解決しようとする課題は、骨盤締付状態が不安定である点である。また、骨盤締付力がはたらく方向の微調整をすることができない点である。
【課題を解決するための手段】
【０００５】
そこで、本発明に係る骨盤矯正用ベルト付パンツは、前布部と後布部を有するパンツ本体と、胴回り方向に配設されるとともに上記後布部の左右方向中央領域に縫着した上下に複数の骨盤矯正用ベルトを、備え、上記前布部が、腹部の略全体に対応する範囲の外面全体にわたって、第１面状ファスナーを有するとともに、上記骨盤矯正用ベルトの夫々が、左右一対の突片部を有し、該突片部が、上記第１面状ファスナーと着脱自在な第２面状ファスナーを内面側に有し、上記第１面状ファスナーと上記第２面状ファスナーを貼着させることにより骨盤締付力を調整可能に構成し、さらに、上記複数の骨盤矯正用ベルトの非着用巻付状態での側端縁の上下長さ寸法Ｌを、股上寸法Ａの70％以上 110％以下に設定し、骨盤の上下略全長範囲にわたって骨盤締付力を付与可能に構成したものである。
【０００６】
また、前布部と後布部を有するパンツ本体と、左半分と右半分に分離した左突片部・右突片部の各基端を上記後布部の左右方向中央領域に縫着した上下に複数の骨盤矯正用ベルトを、備え、上記前布部が、腹部の略全体に対応する範囲の外面全体にわたって、第１面状ファスナーを有するとともに、上記左突片部・右突片部の夫々が、上記第１面状ファスナーと着脱自在な第２面状ファスナーを内面側に有し、上記第１面状ファスナーと上記第２面状ファスナーを貼着させることにより骨盤締付力を調整可能に構成し、さらに、上記複数の骨盤矯正用ベルトの非着用巻付状態での側端縁の上下長さ寸法Ｌを、股上寸法Ａの70％以上 110％以下に設定し、骨盤の上下略全長範囲にわたって骨盤締付力を付与可能に構成したものである。
【０００７】
また、骨盤矯正用ベルトを上下に２枚備えたものである。
また、前布部に開閉自在な前ファスナーを設けたものである。
また、骨盤矯正用ベルト、前布部、及び、後布部が、伸縮自在な素材から成るものである。
【発明の効果】
【０００８】
本発明の骨盤矯正用ベルト付パンツによれば、骨盤締付状態を安定して保持することができる。また、骨盤締付力がはたらく方向の微調整をすることができる。また、骨盤締付状態の選択の幅が広く、より自由かつ適切に骨盤締付力を調整することができる。また、身体に合わせてフィットさせることができ、着用感が良好である。
【発明を実施するための最良の形態】
【０００９】
図１・図２は、本発明の第１の実施の形態の使用状態（骨盤締付状態）を示す。図３〜図５は、非着用展開状態を示す（図４は、図３のＸ−Ｘ断面を示す）。この骨盤矯正用ベルト付パンツは、骨盤Ｋに締付力（骨盤締付力Ｆ）を与えて骨盤を矯正するために使用（着用）される。すなわち、着用の際に、後述の第１面状ファスナー１と第２面状ファスナー２の貼着位置を調節することにより、骨盤矯正用ベルト３の骨盤締付力Ｆを調節して着用される。
【００１０】
具体的には、前布部４と後布部５を有するパンツ本体６と、胴回り方向に配設されるとともに後布部５の左右方向中央領域Ｙ───図２・図５に示す２点鎖線の内部領域───に縫着Ｇした上下に複数（具体的には、２枚）の骨盤矯正用ベルト３を、備えている。骨盤矯正用ベルト３、前布部４、及び、後布部５、が、伸縮自在な素材（例えば、合成樹脂製織布）から成る。
【００１１】
前布部４が、腹部Ｓの略全体に対応する範囲の外面７全体にわたって、第１面状ファスナー１を有する。骨盤矯正用ベルト３の夫々が、左右一対の突片部８を有する。そして、突片部８が、第１面状ファスナー１と着脱自在な第２面状ファスナー２を内面９側に有し、第１面状ファスナー１と第２面状ファスナー２を貼着させることにより骨盤締付力Ｆを調整可能に構成されている。
【００１２】
下側の骨盤矯正用ベルト３（３ａ）の上端縁部10が、隣接する上側の骨盤矯正用ベルト３（３ｂ）の下端縁部11の外側に重ね合わさるように配設されている。そして、上側の骨盤矯正用ベルト３ｂの突片部８が、上述のように下側の骨盤矯正用ベルト３ａと上側の骨盤矯正用ベルト３ｂを重ね合わせる際に下側の骨盤矯正用ベルト３ａの第２面状ファスナー２と着脱自在な第３面状ファスナー12を外面13側に有する。骨盤締付状態をさらに安定して保持することができる。
【００１３】
図６に示すように、複数（２枚）の骨盤矯正用ベルト３の非着用巻付状態───すなわち、非着用時にパンツ本体６に伸び縮みなくかつ隙間やたるみなく巻き付けた状態───の側端縁14の上下長さ寸法Ｌを、股上寸法Ａの70％以上 110％以下に設定し、骨盤Ｋ（図１参照）の上下略全長範囲Ｅにわたって骨盤締付力Ｆを付与可能に構成されている。上下長さ寸法Ｌが上記範囲にある場合、骨盤締付状態を安定して保持することができる。上下長さ寸法Ｌが、股上寸法Ａの70％未満の場合、骨盤締付状態が不安定になる虞れがある。上下長さ寸法Ｌが、股上寸法Ａの 110％を超える場合、着用感が悪くなる。
前布部４に開閉自在な前ファスナー15が設けられている。
【００１４】
図７は、第２の実施の形態を示す。左半分と右半分に分離した左突片部８ａ・右突片部８ｂの各基端80ａ，80ｂを後布部５の左右方向中央領域Ｙに縫着Ｇした上下に複数（２枚）の骨盤矯正用ベルト３を、備える。
【００１５】
左突片部８ａ・右突片部８ｂの夫々が、第１面状ファスナー１（図１参照）と着脱自在な第２面状ファスナー２を内面９（図３・図４参照）側に有し、第１面状ファスナー１と第２面状ファスナー２を貼着させることにより骨盤締付力Ｆを調整可能に構成されている。
その他の構成は、第１の実施の形態と同様である。
【００１６】
なお、本発明は、設計変更可能であって、例えば、３枚以上の骨盤矯正用ベルト３を有するも良い。これらの場合、最外位置に配設される骨盤矯正用ベルト３以外の骨盤矯正用ベルトは、突片部８の外面13側に他の骨盤矯正用ベルト３の第２面状ファスナー２と着脱自在な第３面状ファスナー12を有するのが好ましい。また、骨盤矯正用ベルト３、前布部４、後布部５が、保温力が高い素材から成るのが好ましい。例えば、チタンをコーティングするのが良い。また、骨盤矯正用ベルト３、前布部４、後布部５が、通気性を有する素材から成るも良い。例えば、通気孔を有するネオプレンラバーを備えた素材から成るも良い。
【００１７】
以上のように、本発明は、前布部４と後布部５を有するパンツ本体６と、胴回り方向に配設されるとともに上記後布部５の左右方向中央領域Ｙに縫着Ｇした上下に複数の骨盤矯正用ベルト３を、備え、上記前布部４が、腹部Ｓの略全体に対応する範囲の外面７全体にわたって、第１面状ファスナー１を有するとともに、上記骨盤矯正用ベルト３の夫々が、左右一対の突片部８を有し、該突片部８が、上記第１面状ファスナー１と着脱自在な第２面状ファスナー２を内面９側に有し、上記第１面状ファスナー１と上記第２面状ファスナー２を貼着させることにより骨盤締付力Ｆを調整可能に構成し、さらに、上記複数の骨盤矯正用ベルト３の非着用巻付状態での側端縁14の上下長さ寸法Ｌを、股上寸法Ａの70％以上 110％以下に設定し、骨盤Ｋの上下略全長範囲Ｅにわたって骨盤締付力Ｆを付与可能に構成したので、骨盤締付状態を安定して保持することができる。また、左右それぞれの骨盤Ｋのゆがみ・ズレが異なる場合に、左右それぞれのゆがみ・ズレに応じて骨盤締付力Ｆを調整することができる。また、複数の骨盤矯正用ベルト３のそれぞれの締付方向を異ならせて（全体としての）骨盤締付力Ｆがはたらく方向を微調整することができる。
【００１８】
そして、骨盤Ｋを締め付けることにより、姿勢が良くなり背筋がまっすぐに伸び、内臓の働きも良くなる。また、骨盤矯正用ベルト３とパンツ本体６が一体化しているので、日常生活のみならず、運動などの動きをしても、骨盤矯正用ベルト３がずれることを防止でき、ずれを直すという手間を省くことができる。また、上記一体化により、骨盤矯正用ベルト３を置き忘れるのを防止することができる。第１面状ファスナー１の面積が広くかつ骨盤矯正用ベルト３を複数備えるので、骨盤矯正用ベルト３を貼着させる位置の選択の幅が広く、骨盤Ｋの締付状態（骨盤締付力Ｆの大きさや向き）をより自由かつより適切に調整することができる。さらに、身体に合わせてフィットさせることができ、着用感が良好である。
また、股関節を締めることができ、骨盤矯正の他にも、股関節の開きが原因とされているＯ脚を矯正することができる。
【００１９】
前布部４と後布部５を有するパンツ本体６と、左半分と右半分に分離した左突片部８ａ・右突片部８ｂの各基端80ａ，80ｂを上記後布部５の左右方向中央領域Ｙに縫着Ｇした上下に複数の骨盤矯正用ベルト３を、備え、上記前布部４が、腹部Ｓの略全体に対応する範囲の外面７全体にわたって、第１面状ファスナー１を有するとともに、上記左突片部８ａ・右突片部８ｂの夫々が、上記第１面状ファスナー１と着脱自在な第２面状ファスナー２を内面９側に有し、上記第１面状ファスナー１と上記第２面状ファスナー２を貼着させることにより骨盤締付力Ｆを調整可能に構成し、さらに、上記複数の骨盤矯正用ベルト３の非着用巻付状態での側端縁14の上下長さ寸法Ｌを、股上寸法Ａの70％以上 110％以下に設定し、骨盤Ｋの上下略全長範囲Ｅにわたって骨盤締付力Ｆを付与可能に構成したので、骨盤締付状態を安定して保持することができる。また、左右それぞれの骨盤Ｋのゆがみ・ズレが異なる場合に、左右それぞれのゆがみ・ズレに応じて骨盤締付力Ｆを調整することができる。また、複数の骨盤矯正用ベルト３のそれぞれの締付方向を異ならせて（全体としての）骨盤締付力Ｆがはたらく方向を微調整することができる。
【００２０】
そして、骨盤Ｋを締め付けることにより、姿勢が良くなり背筋がまっすぐに伸び、内臓の働きも良くなる。また、骨盤矯正用ベルト３とパンツ本体６が一体化しているので、日常生活のみならず、運動などの動きをしても、骨盤矯正用ベルト３がずれることを防止でき、ずれを直すという手間を省くことができる。また、上記一体化により、骨盤矯正用ベルト３を置き忘れるのを防止することができる。第１面状ファスナー１の面積が広くかつ骨盤矯正用ベルト３を複数備えるので、骨盤矯正用ベルト３を貼着させる位置の選択の幅が広く、骨盤Ｋの締付状態（骨盤締付力Ｆの大きさや向き）をより自由かつより適切に調整することができる。さらに、身体に合わせてフィットさせることができ、着用感が良好である。
また、股関節を締めることができ、骨盤矯正の他にも、股関節の開きが原因とされているＯ脚を矯正することができる。
【００２１】
骨盤矯正用ベルト３を上下に２枚備えたので、容易に骨盤締付力Ｆがはたらく方向の微調整をすることができる。
【００２２】
前布部４に開閉自在な前ファスナー15を設けたので、容易に着脱を行なうことができる。特に、腰痛の人も、容易に着脱することができるので、着脱時に腰にかかる負担を軽くすることができる。
【００２３】
骨盤矯正用ベルト３、前布部４、及び、後布部５が、伸縮自在な素材から成るので、適度な骨盤締付力Ｆを得ることができて、着脱時に腰にかかる負担を軽くすることができるとともに、着用感が良好である。
【図面の簡単な説明】
【００２４】
【図１】本発明の第１の実施の形態の使用状態を示す正面図である。
【図２】背面図である。
【図３】展開状態を示す正面図である。
【図４】図３のＸ−Ｘ断面図である。
【図５】背面図である。
【図６】非着用巻付状態を示す正面図である。
【図７】第２の実施の形態を示す背面図である。
【符号の説明】
【００２５】
１  第１面状ファスナー
２  第２面状ファスナー
３  骨盤矯正用ベルト
４  前布部
５  後布部
６  パンツ本体
７  外面
８  突片部
８ａ  左突片部
８ｂ  右突片部
９  内面
14  側端縁
15  前ファスナー
80ａ  基端
80ｂ  基端
Ａ  股上寸法
Ｅ  上下略全長範囲
Ｆ  骨盤締付力
Ｇ  縫着
Ｋ  骨盤
Ｌ  上下長さ寸法
Ｓ  腹部
Ｙ  左右方向中央領域
【図１】
2007236809.tif 000003
【図２】
2007236809.tif 000004
【図３】
2007236809.tif 000005
【図４】
2007236809.tif 000006
【図５】
2007236809.tif 000007
【図６】
2007236809.tif 000008
【図７】
2007236809.tif 000009